【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
（１）芳香族共役繰り返し単位及び架橋基を有し、発光性及び電荷輸送性の少なくとも一方の性質を有する第一の架橋性高分子化合物、並びに、
（２）芳香族共役繰り返し単位及び架橋基の少なくとも一方が、第一の架橋性高分子化合物中の芳香族共役繰り返し単位及び第一の架橋性高分子化合物中の架橋基と異なる、芳香族共役繰り返し単位及び架橋基を有し、発光性及び電荷輸送性の少なくとも一方の性質を有する第二の架橋性高分子化合物
を含み、かつ、第一の架橋性高分子化合物及び第二の架橋性高分子化合物の少なくとも一方が下記式（Ｚ−３）又は（Ｚ−４）で表される架橋基を有する、組成物。
【化１】
2011149013.tif 000001
〔式（Ｚ−３）、（Ｚ−４）中、Ｒcは、水素原子、無置換若しくは置換のアルキル基、無置換若しくは置換のアルコキシ基、無置換若しくは置換のアルキルチオ基、無置換若しくは置換のアリール基、無置換若しくは置換のアリールオキシ基、無置換若しくは置換のアリールチオ基、無置換若しくは置換のアミノ基、無置換若しくは置換のシリル基、ハロゲン原子、アシル基、アシルオキシ基、イミン残基、カルバモイル基、酸イミド基、１価の複素環基、無置換若しくは置換のカルボキシル基、シアノ基又はニトロ基を表す。複数あるＲcは、同一であっても異なっていてもよい。〕
【請求項２】
前記第一の架橋性高分子化合物及び前記第二の架橋性高分子化合物における架橋基が、下記式（Ｚ−１）〜（Ｚ−１０）のいずれかで表される基である請求項１に記載の組成物。
【化２】
2011149013.tif 000002
〔式（Ｚ−１）〜（Ｚ−１０）中、Ｒcは、前記と同じ意味を有する。ＲNは、無置換若しくは置換のアルキル基、無置換若しくは置換のアリール基、無置換若しくは置換のアリールアルキル基、無置換若しくは置換のアシル基、又は無置換若しくは置換の１価の複素環基を表す。複数あるＲcは、同一であっても異なっていてもよい。〕
【請求項３】
前記第一の架橋性高分子化合物が、前記式（Ｚ−１）〜（Ｚ−４）のいずれかで表される架橋基を有する高分子化合物であり、かつ、
前記第二の架橋性高分子化合物が、前記式（Ｚ−４）〜（Ｚ−１０）のいずれかで示される架橋基、及び、前記第一の架橋性高分子化合物中の芳香族共役繰り返し単位とは異なる芳香族共役繰り返し単位を有する高分子化合物である、
請求項１又は２に記載の組成物。
【請求項４】
前記第二の架橋性高分子化合物が、芳香族共役繰り返し単位を有し、かつ、前記第一の架橋性高分子化合物中の架橋基とは異なる架橋基を有する高分子化合物である、請求項１又は２に記載の組成物。
【請求項５】
前記第二の架橋性高分子化合物が、前記第一の架橋性高分子化合物中の芳香族共役繰り返し単位とは異なる芳香族共役繰り返し単位、及び、前記第一の架橋性高分子化合物中の架橋基とは異なる架橋基を有する高分子化合物である、請求項１又は２に記載の組成物。
【請求項６】
前記第一の架橋性高分子化合物中の架橋基が前記式（Ｚ−１）〜（Ｚ−４）のいずれかで表される基であり、かつ、前記第二の架橋性高分子化合物中の架橋基が前記式（Ｚ−４）〜（Ｚ−１０）のいずれかで表される基である、請求項４又は５に記載の組成物。
【請求項７】
前記第一の架橋性高分子化合物及び前記第二の架橋性高分子化合物の少なくとも一方が正孔輸送性を有する、請求項１〜６のいずれか一項に記載の組成物。
【請求項８】
前記第一の架橋性高分子化合物及び前記第二の架橋性高分子化合物の少なくとも一方が発光性及び電荷輸送性を有する、請求項１〜６のいずれか一項に記載の組成物。
【請求項９】
前記第一の架橋性高分子化合物及び前記第二の架橋性高分子化合物の少なくとも一方が、繰り返し単位として、無置換若しくは置換のアリーレン基、無置換若しくは置換の２価の複素環基、又は無置換若しくは置換の２価の芳香族アミン残基を有する、請求項１〜８のいずれか一項に記載の組成物。
【請求項１０】
前記第一の架橋性高分子化合物及び前記第二の架橋性高分子化合物の少なくとも一方が、繰り返し単位Ａとして、下記式［２］で表される基Ｙを１〜４個有する無置換若しくは置換のアリーレン基、下記式［２］で表される基Ｙを１〜４個有する無置換若しくは置換の２価の複素環基、又は、下記式［２］で表される基Ｙを１〜４個有する無置換若しくは置換の２価の芳香族アミン残基を有する、請求項９に記載の組成物。
【化３】
2011149013.tif 000003
〔式［２］中、Ｊ1及びＪ2は、それぞれ独立に、アルキレン基又はフェニレン基を表し、Ｘ1は酸素原子、窒素原子又は硫黄原子を表す。i、ｊ及びｌは、それぞれ独立に、０又は１を表し、ｋは１〜３の整数を表す。Ｊ1、Ｘ1、ｉ及びｊは、複数ある場合、各々、同一であっても異なっていてもよい。Ｚは架橋基を表す。〕
【請求項１１】
前記繰り返し単位Ａが、下記式［３］で表される繰り返し単位である、請求項１０に記載の組成物。
【化４】
2011149013.tif 000004
〔式［３］中、Ｒ1及びＲ2は、それぞれ独立に、無置換若しくは置換のアルキル基、無置換若しくは置換のアルコキシ基、無置換若しくは置換のアリール基、無置換若しくは置換のアリールオキシ基、無置換若しくは置換のアリールアルキル基、又は、無置換若しくは置換のアリールアルコキシ基を表す。ａ及びｂは、それぞれ独立に、０〜３の整数であり、ｎは１又は２である。Ｙは、前記式［２］で表される基である。Ｒ1、Ｒ2及びＹは、複数ある場合、各々、同一であっても異なっていてもよい。〕
【請求項１２】
前記繰り返し単位Ａが、下記式［４］で表される繰り返し単位である、請求項１０に記載の組成物。
【化５】
2011149013.tif 000005
〔式［４］中、Ｒ1は、無置換若しくは置換のアルキル基、無置換若しくは置換のアルコキシ基、無置換若しくは置換のアリール基、無置換若しくは置換のアリールオキシ基、無置換若しくは置換のアリールアルキル基、又は、無置換若しくは置換のアリールアルコキシ基を表す。ａは、０〜３の整数であり、ｎは１又は２であるが、ａ及びｎは、１≦ａ＋ｎ≦４を満たす。Ｙは、前記と同じ意味を有する。Ｒ1及びｎは、複数ある場合、各々、同一であっても異なっていてもよい。〕
【請求項１３】
前記繰り返し単位Ａが、下記式［５］で表される繰り返し単位である、請求項１０に記載の組成物。
【化６】
2011149013.tif 000006
〔式［５］中、Ｑは、酸素原子、硫黄原子、−Ｎ（Ｒ3）−、−Ｏ−Ｃ（Ｒ1）（Ｒ2）−、又は、−Ｓｉ（Ｒ1）（Ｒ2）−を表す。Ｒ1、Ｒ2、Ｙ及びｎは、前記と同じ意味を有する。Ｒ3は、無置換若しくは置換のアルキル基、無置換若しくは置換のアリール基、又は、無置換若しくは置換のアリールアルキル基を表す。Ｙが複数ある場合、それらは同一であっても異なっていてもよい。〕
【請求項１４】
前記繰り返し単位Ａが、下記式［６］で表される繰り返し単位である、請求項１０に記載の組成物。
【化７】
2011149013.tif 000007
〔式［６］中、Ｒ1、Ｒ2及びＹは、前記と同じ意味を有する。ｃ及びｄは、それぞれ独立に、０〜４の整数を表し、ｅは０又は１を表す。Ａｒ2は、アリーレン基又は２価の複素環基を表す。Ｒ1、Ｒ2及びＹは、複数ある場合、各々、同一であっても異なっていてもよい。〕
【請求項１５】
前記第一の架橋性高分子化合物及び前記第二の架橋性高分子化合物のポリスチレン換算の分子量がいずれも１×１０3〜１×１０8である、請求項１〜１４のいずれか一項に記載の組成物。
【請求項１６】
前記第一の架橋性高分子化合物と前記第二の架橋性高分子化合物との重量比が９９：１〜１：９９である、請求項１〜１５のいずれか一項に記載の組成物。
【請求項１７】
組成物１ｇに含まれる前記架橋基の合計量が、２．０×１０-5〜１．０×１０-2モルである、請求項１〜１６のいずれか一項に記載の組成物。
【請求項１８】
前記第一の架橋性高分子化合物及び前記第二の架橋性高分子化合物の合計が８０重量％以上である、請求項１〜１７のいずれか一項に記載の組成物。
【請求項１９】
さらに溶媒を含む、請求項１〜１８のいずれか一項に記載の組成物。
【請求項２０】
請求項１〜１９のいずれか一項に記載の組成物を用いてなる薄膜。
【請求項２１】
請求項１９に記載の組成物を、スピンコート法、キャスティング法、マイクログラビアコート法、グラビアコート法、バーコート法、ロールコート法、ワイアーバーコート法、ディップコート法、スリットコート法、キャップコート法、キャピラリコート法、スプレーコート法、スクリーン印刷法、フレキソ印刷法、オフセット印刷法、インクジェットプリント法またはノズルコート法により成膜する工程を含む、請求項２０に記載の薄膜の製造方法。
【請求項２２】
請求項１〜１９のいずれか一項に記載の組成物に含まれる第一の架橋性高分子化合物および第二の架橋性高分子化合物を架橋させてなる、請求項２０に記載の薄膜。
【請求項２３】
請求項１〜１９のいずれか一項に記載の組成物に含まれる第一の架橋性高分子化合物および第二の架橋性高分子化合物を５０℃以上に加熱することで架橋させる工程を含む、請求項２２に記載の薄膜の製造方法。
【請求項２４】
陽極及び陰極からなる電極と、該電極間に設けられ請求項１〜１９のいずれか一項に記載の組成物を用いてなる有機層とを有する発光素子。
【請求項２５】
ガラス基板、プラスチック基板、高分子フィルム基板またはシリコン基板の上に形成された、請求項２４に記載の発光素子。
【請求項２６】
請求項２４に記載の発光素子を備えた面状光源。
【請求項２７】
請求項２４に記載の発光素子を備えた表示装置。
【請求項２８】
請求項１〜１９のいずれか一項に記載の組成物を用いてなる有機トランジスタ。
【請求項２９】
請求項１〜１９のいずれか一項に記載の組成物を用いてなる有機光電変換素子。